(57)【要約】【課題】簡単な断熱構成で、電装部等への結露を防止する事ができる空気調和機を提供する。【解決手段】熱交換器１３と、前記熱交換器１３に風を送る送風機１１と、少なくとも前記熱交換器１３の筐体前面側に対向して設けられた仕切り壁部６と、前記仕切り壁部６と空間部Ｓを介して筐体前面側に着脱自在に配置された前面部５と、前記前面部５に固定されるとともに前記空間部Ｓに臨む電装部７とを有し、前記送風機１１の運転による前記空間部Ｓ内での空気流動を防止する仕切り部を設けて、空間部Ｓ内の空気で断熱して、電装部７等への露付きを防止する。【選択図】図１ 
2005134006.tif 000002
【特許請求の範囲】
【請求項１】
熱交換器と、前記熱交換器に風を送る送風機と、少なくとも前記熱交換器の筐体前面側に対向して設けられた仕切り壁部と、前記仕切り壁部と空間部を介して筐体前面側に着脱自在に配置された前面部と、前記前面部に固定されるとともに前記空間部に臨む電装部とを有し、前記送風機の運転による前記空間部内での空気流動を防止する仕切り部を設けた空気調和機。
【請求項２】
仕切り部を空間部内に設けると共に前面部に一体に形成した請求項１記載の空気調和機。
【請求項３】
仕切り部を空間部内に設けるとともに前面部とは別部材で形成した請求項１記載の空気調和機。
【請求項４】
仕切り部を空間部内に配すると共に、前面部を少なくとも、電装部を固定する第１の前面部と、前記第１の前面部に連接される第２の前面部とで形成し、前記仕切り部を前記第１の前面部または前記第２の前面部の少なくとも一方に設けた請求項１〜３のいずれか１項記載の空気調和機。
【請求項５】
前面部の下方に空気を取り入れる吸込口を配し、仕切り部を吸込口に配した請求項１記載の空気調和機。
【発明の詳細な説明】
【技術分野】
【０００１】
本発明は、露付きを防止する構造を備えた空気調和機に関するものである。
【背景技術】
【０００２】
従来の空気調和機は、冷房運転時の露付き防止のために断熱部材類を電装部等に貼付けるなどして対処していた。
【０００３】
以下、図７を用いて従来の空気調和機についてのべる。図７は、空気調和機の概略縦断面図で、１は空気調和機本体で、前面下部に設けられた吸込口２、前面上部に設けられた吹出口３、本体背面を形成するリアパネル４、本体前面を形成する前面部５等で構成されている。６は前面部５に対向して設けられた仕切り壁部、７は前面部５に固定された電装部である。また、前面部５は仕切り壁部６との間に空間部Ｓを有しており、脱着可能である。冷房運転時の露付きを防止するために、断熱材８を電装部７の背面周囲に、断熱材９を仕切り壁部６の前面に貼付けている。１０はリアパネル４の下部に取り付けられたケーシングで、このケーシング１０の内部に、後述の熱交換器１３に風を送る送風機１１が配され、前記送風機１１は、一端がリアパネル４で支持されたモータ１１ａと、前記モータ１１ａの他端、すなわち軸の先端に固定されたファン１２から構成されている。１３はケーシング１０の上方に配設された熱交換器である。１４はケーシング１０と吸込口２の間に配設された電気箱である（例えば、特許文献１参照）。
【特許文献１】特開２００２−２３５９５０号公報
【発明の開示】
【発明が解決しようとする課題】
【０００４】
しかしながら、前記従来の構成では、冷房運転時に、貼付け可能な厚みの断熱材９に結露した水滴を前面部５下部の吸込口２で吸収するために前面部５と前記吸込口２との間に隙間（Ｇ）があり、また、電装部７にも隙間があり、ファン１２の運転により前面部５の空間部Ｓに空気流動がおこり、電装部７および仕切り壁部６が結露するため、それを防止する為に断熱材８と９の貼付が不可欠であった。また、断熱材８および９を厚くすると、前面部５および仕切り壁部６が厚くなり、通風路を狭くして通風抵抗を増大させるという課題も有していた。
【０００５】
本発明は、前記従来の課題を解決するもので、安価な構成で、しかも通風抵抗を増大させることなく、冷房運転時の電装部等での露付きを防止することができる空気調和機を提供することを目的とする。
【課題を解決するための手段】
【０００６】
前記従来の課題を解決するために、本発明の空気調和機は、熱交換器と、前記熱交換器に風を送る送風機と、少なくとも前記熱交換器の筐体前面側に対向して設けられた仕切り壁部と、前記仕切り壁部と空間部を介して筐体前面側に着脱自在に配置された前面部と、前記前面部に固定されるとともに前記空間部に臨む電装部とを有し、前記送風機の運転による前記空間部内での空気流動を防止する仕切り部を設けたもので、送風機が運転されても仕切り部により空間部内での空気流動がなく、これにより空間部内の流動しない空気によって断熱されるので、電装部等への露付きを防止でき、電装部の断熱材を廃止または仕切り壁部の断熱材を簡略化して製造コスト、組み立て工数の低減を図ることができる。又、断熱材が簡略化されるので空気調和機内部での通風抵抗が増大する事も無い。
【発明の効果】
【０００７】
本発明の空気調和機は、空間部内での空気の流動を防止する仕切り部により、電装部等での露付きが防止できると共に、断熱材のコストや組み立て工数を低減することができる。
【発明を実施するための最良の形態】
【０００８】
第１の発明は、熱交換器と、前記熱交換器に風を送る送風機と、少なくとも前記熱交換器の筐体前面側に対向して設けられた仕切り壁部と、前記仕切り壁部と空間部を介して筐体前面側に着脱自在に配置された前面部と、前記前面部に固定されるとともに前記空間部に臨む電装部とを有し、前記送風機の運転による前記空間部内での空気流動を防止する仕切り部を設けたもので、送風機が運転されても仕切り部により空間部内での空気流動がなく、これにより空間部内の流動しない空気によって断熱されるので、電装部等への露付きを防止でき、電装部の断熱材を廃止または仕切り壁部の断熱材を簡略化して製造コスト、組み立て工数の低減を図ることができる。
【０００９】
第２の発明は、特に、第１の発明の仕切り部を空間部内に設けると共に前面部に一体に形成したもので、前面部を空気調和機本体に取り付ける際に仕切り部が同時に所定の場所に配置されるので、部品点数の削減と共に組み立て工数も削減されるものである。
【００１０】
第３の発明は、特に、第１の発明の仕切り部を空間部内に設けるとともに前面部とは別部材で形成したもので、仕切り部を前面部と一体成形する際に前面部の表面に生じがちなひけを無くする事ができるので、前面部の美観を損なう事が無い。
【００１１】
第４の発明は、特に、第１〜第３のいずれかひとつの発明の仕切り部を空間部内に配すると共に、前面部を少なくとも、電装部を固定する第１の前面部と、前記第１の前面部に連接される第２の前面部とで形成し、前記仕切り部を前記第１の前面部または前記第２の前面部の少なくとも一方に設けたもので、空気調和機本体の高さ寸法が変更される場合、第１の前面部或いは第２の前面部のいずれか一方のみ高さ寸法を変更するだけで良く、他方は高さ寸法を変更する必要がなく、部品の共用化および金型費用の低減を図る事ができる。
【００１２】
第５の発明は、前面部の下方に空気を取り入れる吸込口を配し、仕切り部を吸込口に配したもので、吸込口近傍にある他の部材の一部或いは全体を用いて仕切り部を形成することができるので、部品点数、組み立て工数の削減を図る事ができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の概略縦断面図である。なお、従来と同一部分については、同一符号を付してその説明を省略する。
【００１５】
本実施の形態は、図１に示すように前面部５と仕切り壁部６の間に、空間部Ｓ内の一部を仕切って空気流動を防止する仕切り部１５を設けたものである。この仕切り部１５により、ファン１２が運転されても仕切り部１５より上の前面部５の空間部への空気流動がなくなり、その結果空間部が流動しない空気によって断熱され、冷房運転時に電装部７等への露付きを防止することができ、電装部７を断熱する断熱材を廃止または仕切り壁部６に貼り付ける断熱材９を簡略化して製造コストおよび組み立て工数の低減を図ることができる。
【００１６】
（実施の形態２）
図２は、本発明の第２の実施の形態における空気調和機の概略縦断面図である。
【００１７】
なお、上記実施の形態と同一部分については、同一符号を付してその説明を省略する。
【００１８】
図２に示すように、本実施の形態では、仕切り部１５を前面部５と一体に形成したもので、これにより、前面部５を空気調和機本体１に取り付ける際に仕切り部１５が同時に所定の場所に配置されるので、部品点数の削減と共に組み立て工数も削減されるものである。
【００１９】
（実施の形態３）
図３は、本発明の第３の実施の形態における空気調和機の概略縦断面図である。
【００２０】
なお、上記実施の形態と同一部分については、同一符号を付してその説明を省略する。
【００２１】
本実施の形態では、仕切り部１５を前面部５とは別部材で構成したもので、仕切り部１５を前面部５と一体成形する際に前面部５の表面に生じがちなひけを無くする事ができるので、前面部１５の美観を損なう事が無い。また、上記仕切り部１５として緩衝性のあるシ−ル材を使用するようにすれば、仕切り部１５と前面部５との隙間または仕切り部１５と仕切り壁部６との隙間を確実になくすことができ、電装部７などへの露付きをより確実に防止する事ができる。
【００２２】
（実施の形態４）
図４は、本発明の第４の実施の形態における空気調和機の縦断面図である。
【００２３】
なお、上記実施の形態と同一部分については、同一符号を付してその説明を省略する。
【００２４】
図４において、前面部５を、少なくとも電装部７を固定する第１の前面部５ａと、前記第１の前面部５ａと連接する第２の前面部５ｂとで構成し、仕切り部１５を第１の前面部５ａまたは第２の前面部５ｂの少なくとも一方に配設するものである。図４は、仕切り部１５を第２の前面部５ｂに配設した例を示している。
【００２５】
商品展開や仕様変更等で空気調和機本体１の高さ寸法が変更される場合、第１の前面部５ａ或いは第２の前面部５ｂのいずれか一方のみ高さ寸法を変更するだけで良く、他方は高さ寸法を変更する必要がないので、部品の共用化および金型費用の低減を図る事ができる。
【００２６】
（実施の形態５）
図５は、本発明の第５の実施の形態における空気調和機の縦断面図である。
【００２７】
なお、上記実施の形態と同一部分については、同一符号を付してその説明を省略する。
【００２８】
本実施の形態においては、前面部５の下部に配置された吸込口２に前面部５の空間部Ｓへの空気流動を遮断する部分を配するもので、具体的には、図５に示すように、ケ−シング１０の上端１０ａを吸込口２まで延設し、かつ吸込口２に当接させて、空間部内の空気流動を遮断する仕切り部としたものである。
【００２９】
また、図６に示すように、電気箱１４の一部を吸込口２に当接させて空気流動を遮断するようにしてもよい。
【００３０】
以上のように、上記構成によれば、ケ−シング１０等他の部品の一部を吸込口に当てて
仕切り部を形成できるので、部品点数、組み立て工数の削減を図る事ができる。
【産業上の利用可能性】
【００３１】
以上のように、本発明にかかる空気調和機は、空気流動を防止する仕切り部を設けるとう簡単な断熱構成で冷熱部の前面に配された電装部等での結露を防止することができるので、電装部が前面に配された各種空気調和機、除湿機、冷蔵庫、ショ−ケ−ス等の用途にも広く適用できる。
【図面の簡単な説明】
【００３２】
【図１】本発明の実施の形態１における空気調和機の概略縦断面図
【図２】本発明の実施の形態２における空気調和機の概略縦断面図
【図３】本発明の実施の形態３における空気調和機の概略縦断面図
【図４】本発明の実施の形態４における空気調和機の概略縦断面図
【図５】本発明の実施の形態５における空気調和機の概略縦断面図
【図６】同空気調和機の他の例を示す概略縦断面図
【図７】従来の空気調和機の縦断面図
【符号の説明】
【００３３】
１    空気調和機本体
２    吸込口
３    吹出口
４    リアパネル
５    前面部
５ａ  第１の前面部
５ｂ  第２の前面部
６    仕切り壁部
７    電装部
１１    送風機
１２    ファン
１３    熱交換器
１４    電気箱
１５    仕切り部
【図１】
2005134006.tif 000003
【図２】
2005134006.tif 000004
【図３】
2005134006.tif 000005
【図４】
2005134006.tif 000006
【図５】
2005134006.tif 000007
【図６】
2005134006.tif 000008
【図７】
2005134006.tif 000009